(57)【特許請求の範囲】
【請求項１】
既存屋根の平板瓦表面が防水シートで覆われ、その上に、太陽電池瓦の固定金具が取付けられる位置で、上面が野地板と略平行になるように最大厚みが前記平板瓦と略同厚の断面楔形のスペーサーが配置され、前記固定金具がスペーサーを介して野地板に取付け固定されてこの固定金具に太陽電池瓦が固定されていることを特徴とする既存屋根への太陽電池瓦葺き構造。
【請求項２】
スペーサーは、シール性を有する弾性材からなることを特徴とする請求項１の既存屋根への太陽電池瓦葺き構造。
【請求項３】
請求項１または２の構造において、太陽電池瓦取付面以外の既存屋根面には前記防水シートの上に桟木が設けられて瓦が固定されていることを特徴とする既存屋根への太陽電池瓦葺き構造。
【発明の詳細な説明】
【０００１】
【発明の属する技術分野】
この出願の発明は、既存屋根への太陽電池瓦葺き構造に関するものである。さらに詳しくは、この出願の発明は、屋根重量の増大や、屋根面からの太陽電池瓦の突出、並びに周辺の瓦との段差の拡大等の不具合を抑えて、外観性も良好な状態で既存の屋根面に対して太陽電池瓦を施工することのできる、新しい太陽電池瓦の屋根葺き構造に関するものである。
【０００２】
【従来の技術】
太陽エネルギーの利用策として屋根面への太陽電池瓦の配設が実用的に具体化されはじめており、住宅等の建物の既存の屋根に対して太陽電池を施工することも行われている。
【０００３】
このような既存の屋根面への太陽電池瓦の施工については、既存の瓦を取外した後に施工すると非常に手間がかかり、しかも廃材が大量に発生することから、既存の瓦をそのままにして、その上に太陽電池瓦を葺くことが検討され、かつ試みられている。
【０００４】
そのための方策としては、第１には、たとえば図５および図６に示したように、既存の屋根の平板瓦（１）の重ね勾配部分に固定部材（２）を取付け、これを連結するように縦レール部材（３）を配設し、さらにこの縦レール部材（３）の相互間に横レール部材（４）を取付け固定し、これに太陽電池瓦（モジュール）（５）を固定するようにした構造が考えられている。
【０００５】
また、第２には、図７および図８に示したように、既存の屋根面にある平板瓦（１）の表面を防水シート（６）で覆い、その上に縦横に桟木（７）を配設し、これに太陽電池瓦（５）や周辺瓦（８）を固定するようにした構造も考えられている。
【０００６】
【発明が解決しようとする課題】
以上のような方策は既存屋根への太陽電池瓦の施工による太陽電池瓦の普及にとって有意な試みではあるが、いずれの場合にも改善すべき課題があった。
【０００７】
それと言うのも、前記第１の構造の場合には、固定部材（２）、縦レール部材（３）、そして横レール部材（４）の各々の高さが加算されて、屋根面から太陽電池瓦（５）がかなり突出してしまい、周辺の瓦との段差が非常に大きくなって外観性も良好でないという問題がある。また、この構造では、既存の平板瓦（１）に固定部材（２）を直接にビス等で固定しているため、雨天時に固定部材（２）やビス等の付近から雨漏りが生じるという懸念も大きい。
【０００８】
一方、第２の構造の場合には、屋根の改装時に太陽電池瓦を設置でき、外観上は比較的良好であるという利点があるものの、縦横の桟木（７）を固定するため、既存の屋根面に上乗せする重量が大きくなり、耐震上不利になるという問題がある。また、施工上も手間がかかり、コストアップが避けられない。
【０００９】
そこで、この出願の発明は、以上のとおりの従来の問題点を解消し、屋根重量の増大や、屋根面からの太陽電池瓦の突出、これによる周辺の瓦との段差の拡大、そしてその結果としての外観性の後退等の不具合の発生を抑えて、かつ、雨漏れの対策や施工性も良好とすることのできる、既存屋根への新しい太陽電池瓦の屋根葺き構造を提供することを課題としている。
【００１０】
【課題を解決するための手段】
この出願の発明は、上記の課題を解決するものとして、第１には、既存屋根の平板瓦表面が防水シートで覆われ、その上に、太陽電池瓦の固定金具が取付けられる位置で、上面が野地板と略平行になるように最大厚みが前記平板瓦と略同厚の断面楔形のスペーサーが配置され、前記固定金具がスペーサーを介して野地板に取付け固定されてこの固定金具に太陽電池瓦が固定されていることを特徴とする既存屋根への太陽電池瓦葺き構造を提供する。
【００１１】
また、第２には、スペーサーは、シール性を有する弾性材からなることを特徴とする前記の既存屋根への太陽電池瓦葺き構造を提供する。
【００１２】
第３には、前記第１または第２の構造において、太陽電池瓦取付面以外の既存屋根面には前記防水シートの上に桟木が設けられて瓦が固定されていることを特徴とする既存屋根への太陽電池瓦葺き構造を提供する。
【００１３】
【発明の実施の形態】
この出願の発明は前記のとおりの特徴をもつものであるが、以下にその実施の形態について説明する。
【００１４】
添付した図面の図１は、この出願の発明の一実施形態について例示した断面図を示したものである。たとえばこの図１に例示したように、この出願の発明の既存屋根への太陽電池瓦の葺き構造では、既存屋根の平板瓦（１）の表面が防水シート（６）で覆われ、その上に、太陽電池瓦（５）の固定金具（９）が取付けられる位置で、上面が野地板（１０）と略平行になるように最大厚みが前記平板瓦（１）と略同厚の断面楔形のスペーサー（１１）が配置され、このスペーサー（１１）を介して野地板（１０）に固定された固定金具（９）に太陽電池瓦（５）が取付け固定されている。
【００１５】
この構造を施工手順として例示説明すると以下のとおりである。
【００１６】
すなわち、この出願の発明においては、図２にも例示したように、まず、既存屋根の平板瓦（１）の表面を防水シート（６）により覆い、その上にスペーサー（１１）を配置する。このスペーサー（１１）は、その上面が野地板（１０）と平行もしくはほぼ平行、つまり略平行となるように、最大厚みが平面瓦（１）と同厚、もしくはほぼ同厚、つまり略同厚の断面楔形の形状を有している。そして、このスペーサー（１１）は、太陽電池瓦（５）を固定するための固定金具（９）の取付け位置に配置される。
【００１７】
次いで、スペーサー（１１）には、固定金具（９）が配置され、この固定金具（９）は、スペーサー（１１）を介して野地板（１０）に取付け固定される。
【００１８】
太陽電池瓦（５）は、図１にも例示したように、この固定金具（９）に固定されることになるが、このようなこの出願の発明の構造においては、既存の平板瓦（１）の重ね勾配を野地板（１０）と略平行にするためのスペーサー（１１）を用いることから、その上に固定金具（９）並びに太陽電池瓦（５）を固定されたとしても、従来構造のように既存の屋根面から太陽電池瓦（５）が著しく突出することはない。外観性も比較的良好である。そして当然にも、従来の図５および図６の構造のように縦横のレール部材（３）（４）や、図７および図８の構造のように桟木（７）という特別に大きな部材を必要としないため、施工は容易であって、資材コストが抑えられ、しかも軽量な構造であることから、下部構造（住宅等）の耐震性の観点においても従来に比べてはるかに有利である。
【００１９】
前記のスペーサー（１１）については、金属や樹脂等の硬質の部材でもよいが、シール性を有する弾性材からなるものとすることが好ましい。固定金具（９）は、スペーサー（１１）を介してビス等の手段により野地板（１０）に取付けることになるが、この出願の発明の構造では、平板瓦（１）の表面にはあらかじめ防水シート（６）が被覆されていることから、ビス固定部等での雨水の漏れを防ぐことができるが、スペーサー（１１）を、硬質ゴムやシリコンゴム等のシール性のある弾性材とすることによって、雨水がビス穴から漏れることは効果的に防止されることになる。
【００２０】
そして、この出願の発明においては、図３のように、太陽電池瓦（５）を配置した屋根面以外の部分に通常の瓦部材を周辺瓦（１２）として配置してもよい。この場合には、図４に例示したように、前記の防水シート（６）を既存の屋根瓦の上に配置した後に、桟木（１３）を設けて、これに周辺瓦（１２）を取付け固定することが考慮される。この構造とすることによって、太陽電池瓦（５）面と周辺瓦（１２）面との段差は外観上ほとんど問題にならないようにすることができる。
【００２１】
もちろん、この出願の発明の構造では、前記の固定金具（９）や太陽電池瓦（５）、さらには防水シート（６）等について、その細部の構造、形状、そして素材構成は各種であってよく、従来公知のものが適用されてもよいことは言うまでもない。前記の例に限定されることなしに、この出願の発明にはさらに様々な形態が可能とされるのである。
【００２２】
【発明の効果】
以上詳しく説明したとおり、この出願の発明によって、屋根重量の増大や、屋根面からの太陽電池瓦の突出、これによる周辺の瓦との段差の拡大、そしてその結果としての外観性の後退等の不具合の発生を抑えて、かつ、雨漏れの対策や施工性も良好な、既存屋根への新しい太陽電池瓦の屋根葺き構造が提供される。
【図面の簡単な説明】
【図１】この出願の発明の屋根葺き構造を例示した断面図である。
【図２】スペーサーの配設について例示した斜視図である。
【図３】周辺瓦の配置について例示した斜視図である。
【図４】桟木の配置について例示した斜視図である。
【図５】従来の縦横レール部材を用いる構造を示した要部断面図である。
【図６】図５の構造を屋根面において示した斜視図である。
【図７】従来の桟木を用いる構造における桟木の配置を示した斜視図である。
【図８】図７の構造の完成後の屋根面を示した斜視図である。
【符号の説明】
１  平板瓦
２  固定部材
３  縦レール部材
４  横レール部材
５  太陽電池瓦
６  防水シート
７  桟木
８  周辺瓦
９  固定金具
１０  野地板
１１  スペーサー
１２  周辺瓦
１３  桟木
【図１】
0003744459.tif 000002
【図２】
0003744459.tif 000003
【図３】
0003744459.tif 000004
【図４】
0003744459.tif 000005
【図５】
0003744459.tif 000006
【図６】
0003744459.tif 000007
【図７】
0003744459.tif 000008
【図８】
0003744459.tif 000009